(57)【特許請求の範囲】
【請求項１】
時分割複信システムにおける使用者装置（ＵＥ）の動作方法において、
少なくとも一つの搬送波成分（ＣＣ）の個数と伝送方式に基づいて多重ダウンリンクの副フレームのためのＡＣＫのビットの個数を決定する過程と、
前記ＡＣＫのビットの個数に基づいて、少なくとも２つのフィードバック方式のうち一つのフィードバック方式を選択する過程と、
前記選択されたフィードバック方式に基づいて前記多重ダウンリンクの副フレームのためのフィードバック情報を生成する過程と、
予め定められた伝送フォーマットを利用して前記フィードバック情報を基地局に伝送する過程と、を含み、
前記少なくとも２つのフィードバック方式に対する前記伝送フォーマットは、同一である方法。
【請求項２】
前記伝送フォーマットは、ＰＵＣＣＨフォーマット３を含む、請求項１に記載の方法。
【請求項３】
前記少なくとも一つの搬送波成分（ＣＣ）の個数と伝送方式に関する情報を基地局から受信する過程をさらに含む、請求項１に記載の方法。
【請求項４】
前記ＡＣＫのビットに基づいて前記多重ダウンリンクの副フレームのためのフィードバック情報を生成する過程は、
前記ＡＣＫのビットに基づいて少なくとも２つのフィードバック方式のうち一つのフィードバック方式を選択する過程と、
前記選択されたフィードバック方式に基づいて前記多重ダウンリンクの副フレームのためのフィードバック情報の生成処理を実行する過程と、を含む請求項１に記載の方法。
【請求項５】
前記少なくとも２つのフィードバック方式は、
バンドリングのフィードバック方式と、非バンドリングのフィードバック方式のうちの一つを含む請求項４に記載の方法。
【請求項６】
前記ＡＣＫのビットに基づいて少なくとも２つのフィードバック方式のうち一つのフィードバック方式を選択する過程は、
前記ＡＣＫのビットの数が予め定められた数以上の場合、前記バンドリングのフィードバック方式を選択する過程と、
前記ＡＣＫのビットの数が前記予め定められた数より小さい場合、前記非バンドリングのフィードバック方式を選択する過程と、を含む請求項５に記載の方法。
【請求項７】
前記予め定められた数は、２０を含む請求項６に記載の方法。
【請求項８】
前記非バンドリングのフィードバック方式に基づいて前記多重ダウンリンクの副フレームのためのフィードバック情報の生成処理を実行する過程は、
それぞれの搬送波成分について前記多重ダウンリンクの副フレームのためのフィードバック情報のバンドリング処理を行わない過程と、
前記多重ダウンリンクの副フレームのためのフィードバック情報を生成する過程と、を含む請求項６に記載の方法。
【請求項９】
前記バンドリングのフィードバック方式に基づいて前記多重ダウンリンクの副フレームのためのフィードバック情報の生成処理を実行する過程は、
それぞれの搬送波成分について前記多重ダウンリンクの副フレームのためのフィードバック情報のバンドリング処理を実行する過程と、
前記多重ダウンリンクの副フレームのためのバンドリング処理を実行されたフィードバック情報を生成する過程と、を含む請求項６に記載の方法。
【請求項１０】
前記多重ダウンリンクの副フレームのためのフィードバック情報のバンドリング処理を実行する過程は、
それぞれの搬送波成分について各各の前記多重ダウンリンクの副フレーム内における多重コードワードに対するフィードバッグ情報の空間的なバンドリング処理を実行する過程を含む請求項９に記載の方法。
【請求項１１】
前記多重ダウンリンクの副フレームのためのフィードバック情報のバンドリング処理を実行する過程は、
それぞれの搬送波成分について前記多重ダウンリンクの副フレームのバンドリング処理を実行し、バンドリング処理を実行されたダウンリンクの副フレームに対するフィードバック情報のバンドリング処理を実行する過程を含む請求項９に記載の方法。
【請求項１２】
前記多重ダウンリンクの副フレームのためのフィードバック情報のバンドリング処理を実行する過程は、
それぞれの搬送波成分に対するフィードバック情報のバンドリング処理を実行する過程を含む請求項９に記載の方法。
【請求項１３】
前記多重ダウンリンクの副フレームの個数と、前記使用者装置のデータ受信のために基地局によって構成された前記少なくとも一つの搬送波成分の個数と、前記使用者装置のデータ受信のために前記基地局によって構成された伝送ブロック（ＴＢ）の個数と、前記使用者装置が受信した全体の搬送波成分に含まれる符号ワードの全体の個数中の少なくとも一つに基づいて前記少なくとも２つのフィードバック方式のうち一つのフィードバック方式を選択する過程をさらに含む、請求項４に記載の方法。
【請求項１４】
時分割複信システムにおける使用者装置（ＵＥ）の装置において、
少なくとも一つの搬送波成分（ＣＣ）の個数と伝送方式に基づいて多重ダウンリンクの副フレームのためのＡＣＫのビットの個数を決定するとともに、前記ＡＣＫのビットの個数に基づいて、前記少なくとも２つのフィードバック方式のうち一つのフィードバック方式を選択し、前記選択されたフィードバック方式に基づいて多重ダウンリンクの副フレームのためのフィードバック情報を生成ように構成されたＨＡＲＱ制御部と、
予め定められた伝送フォーマットを利用して前記フィードバック情報を基地局に伝送する送信部と、
を含み、
前記少なくとも２つのフィードバック方式に対する前記伝送フォーマットは、同一である装置。
【請求項１５】
前記伝送フォーマットは、ＰＵＣＣＨフォーマット３を含む、請求項１４に記載の装置。
【請求項１６】
前記少なくとも一つの搬送波成分（ＣＣ）の個数と伝送方式に関する情報を基地局から受信するように構成された受信部をさらに含む、請求項１４に記載の装置。
【請求項１７】
前記ＨＡＲＱ制御部は、
前記ＡＣＫのビットに基づいて少なくとも２つのフィードバック方式のうち一つのフィードバック方式を選択し、
前記選択されたフィードバック方式に基づいて前記多重ダウンリンクの副フレームのためのフィードバック情報の生成処理を実行する請求項１４に記載の装置。
【請求項１８】
前記２つのフィードバック方式は、
バンドリングのフィードバック方式と、非バンドリングのフィードバック方式のうちの一つを含む請求項１７に記載の装置。
【請求項１９】
前記ＨＡＲＱ制御部は、
前記ＡＣＫのビットの数が予め定められた数以上の場合、前記バンドリングのフィードバック方式を選択し、
前記ＡＣＫのビットの数が前記予め定められた数より小さい場合、前記非バンドリングのフィードバック方式を選択する請求項１８に記載の装置。
【請求項２０】
前記予め定められた数は、２０を含む請求項１９に記載の装置。
【請求項２１】
前記ＨＡＲＱ制御部は、
それぞれの搬送波成分について前記多重ダウンリンクの副フレームのためのフィードバック情報のバンドリング処理を行わないし、
前記多重ダウンリンクの副フレームのためのフィードバック情報を生成する請求項１９に記載の装置。
【請求項２２】
前記ＨＡＲＱ制御部は、
それぞれの搬送波成分について前記多重ダウンリンクの副フレームのためのフィードバック情報のバンドリング処理を実行し、
前記多重ダウンリンクの副フレームのためのバンドリング処理を実行されたフィードバック情報を生成する請求項１９に記載の装置。
【請求項２３】
前記ＨＡＲＱ制御部は、
それぞれの搬送波成分について各各の前記多重ダウンリンクの副フレーム内における多重コードワードに対する空間的なバンドリング処理を実行するフィードバック情報を処理する請求項２２に記載の装置。
【請求項２４】
前記ＨＡＲＱ制御部は、
それぞれの搬送波成分について前記多重ダウンリンクの副フレームなバンドリング処理を実行し、バンドリング処理を実行するダウンリンクの副フレームに対するフィードバック情報のバンドリング処理を実行する請求項２２に記載の装置。
【請求項２５】
前記ＨＡＲＱ制御部は、
それぞれの搬送波成分に対するフィードバック情報のバンドリング処理を実行する請求項２２に記載の装置。
【請求項２６】
前記ＨＡＲＱ制御部は、
前記多重ダウンリンクの副フレームの個数と、前記使用者装置のデータ受信のために基地局によって構成された前記少なくとも一つの搬送波成分の個数と、前記使用者装置のデータ受信のために前記基地局によって構成された伝送ブロック（ＴＢ）の個数と、前記使用者装置が受信した全体の搬送波成分に含まれる符号ワードの全体の個数中の少なくとも一つに基づいて前記少なくとも２つのフィードバック方式のうち一つのフィードバック方式を選択する請求項１７に記載の装置。
【発明の詳細な説明】
【技術分野】
【０００１】
本発明は無線通信に関するものであり、特に時分割複信システム（ＴＤＤ）におけるＡＣＫ／ＮＡＣＫ伝送のための装置及びその方法に関するものである。
【背景技術】
【０００２】
ＬＴＥシステムはデータの伝送のためにＨＡＲＱ技法を使用する。例えば、ＨＡＲＱ技法を使用する場合、受信機は受信データのエラー発生の有無によるＡＣＫ又はＮＡＣＫを送信機に伝送する。
【０００３】
ダウンリンクデータ伝送のための動的スケジューリングはＰＤＣＣＨを介して行われる。例えば、ＳＰＳの場合、ＳＰＳデータの初期伝送はＰＤＣＣＨの伝送を必要としない。しかし、ＳＰＳデータの再伝送はＰＤＣＣＨを介したスケジューリングを必要とする。
【０００４】
ＬＴＥ基盤の周波数複信システム（Ｆｒｅｑｕｅｎｃｙ  Ｄｉｖｉｓｉｏｎ  Ｄｕｐｌｅｘｉｎｇ：ＦＤＤ）において、ダウンリンクデータ伝送のためにＭＩＭＯ技法を使用する場合、一般的に２つの符号ワードが並列に伝送される。それによって、使用者装置（ＵＥ）は２つのＡＣＫ／ＮＡＣＫをフィードバックしなければならない。一方、ＭＩＭＯ技法を使用しない場合、一つの符号ワードのみ伝送される。それによって、使用者装置は一つのＡＣＫ／ＮＡＣＫのみをフィードバックする。
【０００５】
ＬＴＥ基盤の時分割複信システムにおいて、ダウンリンクの副フレームの個数がアップリンクの副フレームの個数より多い場合、少なくとも一つのアップリンク副フレームは多数のダウンリンク副フレームのダウンリンクデータに対するＡＣＫ／ＮＡＣＫを含んでもよい。この際、方法Ａは各副フレームのダウンリンクデータのためのＡＣＫ／ＮＡＣＫのＡＮＤ論理演算をしてそれぞれの符号ワードのための一つのＡＣＫ／ＮＡＣＫビットを得る。しかし、ダウンリンクデータ伝送がＰＤＣＣＨを介して動的にスケジューリングされ、使用者装置が基地局によって伝送されたＰＤＣＣＨを正確に受信することができない場合、受信機が方法Ａを介して伝送したＡＣＫ／ＮＡＣＫビットと送信機が受信したＡＣＫ／ＮＡＣＫが異なる問題が発生し得る。
【０００６】
上述した問題を解決するために、前記ＬＴＥ基盤の時分割複信システムはＤＡＩを使用する。ここで、前記ＤＡＩはデータを伝送する間使用者装置が少なくとも一つのダウンリンク副フレームのＰＤＣＣＨが損失されるのかを確認し得るようにする。アップリンク副フレームに対応するＭ個のダウンリンク副フレームが存在する場合、それぞれのダウンリンク副フレームに含まれるＰＤＣＣＨのＤＡＩフィールドは下記のような指示情報を伝送するのに使用される。例えば、現在のダウンリンク副フレームまでＰＤＣＣＨを含むダウンリンク副フレームの個数は基地局によって伝送され、ＤＡＩは１，２，３及び４のうちいずれか一つの値を有してもよい。ここで、前記Ｍは１より大きいか同じ整数である。
【０００７】
しかし、時分割複信システムは使用者装置のＰＤＣＣＨを受信した最後の副フレームとして決定されるＡＣＫ／ＮＡＣＫチャネルを介してＡＣＫ／ＮＡＣＫをフィードバックすることを要求する。それによって、使用者装置が最後のいくつかのＰＤＣＣＨを損失する場合、使用者装置はＤＡＩを利用してＡＣＫ／ＮＡＣＫを検出することができない。
【０００８】
上述した問題を解決するために、基地局は使用者装置が使用するＡＣＫ／ＮＡＣＫチャネルの最後の少なくとも一つの副フレームに含まれるＰＤＣＣＨを使用者装置が損失したのかを確認しなければならない。
【０００９】
他のＡＣＫ／ＮＡＣＫフィードバック方法である方法Ｂは、それぞれの副フレームのためのＡＣＫ／ＮＡＣＫを得る。もし、ＭＩＭＯ方式でデータを伝送する場合、ＡＣＫ／ＮＡＣＫは空間バンドリングによって得られる。そして、多重ビットで構成されたＡＣＫ／ＮＡＣＫは、多重ＡＣＫ／ＮＡＣＫチャネルから選択されたＡＣＫ／ＮＡＣＫチャネルのＱＰＳＫ変調を介して伝送される。例えば、ＬＴＥシステムの場合、ＡＣＫ／ＮＡＣＫを構成する多重ビットの個数は２，３及び４のうちいずれか一つである。
【００１０】
ＬＴＥ−Ａシステムの場合、多重（ｍｕｌｔｉｐｌｅ）搬送波成分（ＣＣ）は更に大きい運営帯域を得て高い伝送率のために搬送波結合（ＣＡ）を介して結合される。例えば、２０ＭＨｚの帯域を有する５つの搬送波成分は１００ＭＨｚの運営帯域を得るために結合され得る。
【００１１】
搬送波結合を使用する場合、基地局は多重搬送波成分を介して使用者装置にダウンリンクデータを伝送し得る。それによって、使用者装置は多重搬送波成分を介して受信されたダウンリンクデータのＡＣＫ／ＮＡＣＫをフィードバックしなければならない。一般に、ＡＣＫ／ＮＡＣＫがより正確な場合、ダウンリンク性能は向上されるがアップリンクオーバーヘッド及び複雑度は増加する。
【００１２】
ＬＴＥ−Ａ基盤の時分割複信システムで搬送波結合（ＣＡ）を使用する場合、使用者装置はＡＣＫ／ＮＡＣＫをフィードバックするために多くのビットを必要とする。例えば、４つのダウンリンク副フレームと５つの搬送波成分が存在し、使用者装置がＭＩＭＯ伝送を使用する場合、前記使用者装置は４０個の伝送ブロック（ＴＢ）のためのＡＣＫ／ＮＡＣＫをフィードバックしなければならない。特に、ＮＡＣＫとＤＴＸが区別されない場合、使用者装置は４０ビットのＡＣＫ／ＮＡＣＫをフィードバックする。一方、ＮＡＣＫとＤＴＸが区別される場合、使用者装置は４７ビットのＡＣＫ／ＮＡＣＫをフィードバックし得る。ここで、ＡＣＫはダウンリンクデータの受信が成功したことを示し、ＮＡＣＫはダウンリンクデータの受信が成功しなかったことを示す。
【００１３】
上述したように、一度に多くのビットのＡＣＫ／ＮＡＣＫをフィードバックする場合、アップリンク資源のオーバーへッドは増加し、アップリンクサービス領域の大きさは小さくなり得る。更に、ＬＴＥ−Ａシステムのアップリンク制御チャネルは多くのフィードバックチャネルを有することができない。それによって、多くのビットオーバーヘッドを支援し得る新たなフィードバックチャネル構造が必要となる。
【発明の概要】
【発明が解決しようとする課題】
【００１４】
本発明の目的は、上述した問題点及び／又は短所を解決し、最小限の長所を以下に記述するように提供することである。よって、本発明の目的は、時分割複信システムにおけるＡＣＫ／ＮＡＣＫ伝送に使用されるアップリンク資源の量を減らすための装置及びその方法を提供することにある。
【００１５】
本発明の他の目的は、時分割複信システムにおけるダウンリンクの性能とアップリンク資源オーバーヘッダーの均衡を維持しながらＡＣＫ／ＮＡＣＫを伝送するための装置及びその方法を提供することにある。
【００１６】
本発明の目的を達成するための本発明の第１見地によると、時分割複信システムにおける応答支持者（ＡＣＫ／ＮＡＣＫ）を伝送するための方法は、使用者装置（ＵＥ）のための搬送波成分（ＣＣ）の構成とそれぞれの搬送波成分の伝送方式を受信する過程と、アップリンクのフィードバックのためのオーバーヘッド情報に基づいてＡＣＫ／ＮＡＣＫフィードバック方式を選択する過程と、選択したＡＣＫ／ＮＡＣＫフィードバック方式を利用してＡＣＫ／ＮＡＣＫを処理する過程と、前記ＡＣＫ／ＮＡＣＫをアップリンクを介して伝送する過程と、を含む。
【００１７】
前記ＡＣＫ／ＮＡＣＫフィードバック方式は、ＡＣＫ／ＮＡＣＫのためのバンドリンク処理を行わずにそれぞれの伝送ブロックのＡＣＫ／ＮＡＣＫフィードバックを直接行うかＡＣＫ／ＮＡＣＫのビット数を減らすためにＡＣＫ／ＮＡＣＫを圧縮する。
【００１８】
本発明の第２見地によると、時分割複信システムにおける応答支持者（ＡＣＫ／ＮＡＣＫ）を伝送する装置は、使用者装置（ＵＥ）のための搬送波成分（ＣＣ）の構成とそれぞれの搬送波成分の伝送方式を受信する受信部と、アップリンクのフィードバックのためのオーバーヘッド情報に基づいてＡＣＫ／ＮＡＣＫフィードバック方式を選択するＨＡＲＱ制御部と、選択したＡＣＫ／ＮＡＣＫフィードバック方式を利用してＡＣＫ／ＮＡＣＫを処理し、アップリンクを介して前記ＡＣＫ／ＮＡＣＫを伝送する送信部と、を含む。
【００１９】
上述したように、時分割複信システムにおけるＡＣＫ／ＮＡＣＫフィードバック方式を選択的に使用することで、ダウンリンクの性能を維持しながら変化が激しいアップリンクのフィードバックオーバーヘッドを減らすことができる。
【００２０】
また、それぞれのアップリンクフィードバック方式が類似した量のオーバーヘッドを有するため専用のフィードバックチャネルを設計する必要がなく、フィードバックのためのビット数が最も多いフィードバック方式を除去して複雑度及びオーバーヘッドを減らすことができる。
【００２１】
本発明の他の見地、利点、主な特徴は、以下に添付した本発明の実施例及び図面と共に説明される詳細な説明によって当業者にとって明白に認識されるはずである。
【００２２】
下記の発明を実施するための詳しい内容を始める前に、本特許文献全般に使用される特定単語及び語句の定義を説明することが有利であり得る。即ち、「含む（ｉｎｃｌｕｄｅ，ｃｏｍｐｒｉｓｅ）」という用語及びそれの派生語は制限なく含むことを意味し、「また（ｏｒ）」という用語は包括的な意味であり、及び／又は「〜に関する（ａｓｓｏｃｉａｔｅｄ  ｗｉｔｈ，ａｓｓｏｃｉａｔｅｄ  ｔｈｅｒｅｗｉｔｈ）」という語句及びそれの派生語は〜を含む、〜内に含まれる、〜と相互接続する、〜を含有する、〜に含有される、〜と接続する又は〜に接続させる、〜と連結する又は〜に連結させる、〜と通信可能である、〜と協力する、〜を差し込む、〜と併置する、〜に近い、〜に結ばれる又は〜で結ばれる、〜を有する、〜の特性を有するなどを意味してもよく、「制御機」という用語は少なくとも一つの動作を制御するが、ハードウェア、ファームウェア、ソフトウェア又はそれらのうち少なくとも２つの一部組み合わせで具現され得る任意の装置、システム及びそれらの一部分を意味する。任意の特定制御機に関する機能が近距離であれ遠距離であれ、中央集中されるか分配され得るということを留意しなければならない。特定の単語及び語句に対する定義はこの特許文書の全般にかけて提供され、当業者であれば、殆どの場合ではなければ、多くの場合そのような定義がそのように定義された単語及び語句の以前及び今後の使用に適用されるということが理解できるはずである。
【図面の簡単な説明】
【００２３】
本発明の実施例による本発明の上述した見地及び他の見地、特徴、利点は、以下のような図面と共に説明される詳細な説明から明白に認識されるはずである。
【図１】本発明の実施例による時分割復信システムにおけるＡＣＫ／ＮＡＣＫ伝送手順を示す図である。
【図２】本発明の実施例によるＡＣＫ／ＮＡＣＫフィードバック方式を選択するための手順を示す図である。
【図３】本発明の他の実施例によるＡＣＫ／ＮＡＣＫフィードバック方式を選択するための手順を示す図である。
【図４】本発明による時分割復信システムにおけるＡＣＫ／ＮＡＣＫ伝送装置のブロック構成を示す図である。    上述した図面全般にかけて、図面の参照番号は同じであるか類似した要素、機能及び構造を描写するために使用される。
【発明を実施するための形態】
【００２４】
以下、図１乃至図４を参考した説明は、特許請求の範囲及びそれと同等なものによって定義される本発明の実施例の包括的な理解を助けるために提供される。以下の説明は、理解を助けるために多様な具体的な細部事項を含むが、単なる例示として取り扱われるのみである。従って、本発明の思想や範囲を逸脱しない範囲内で実施例の多様な変形及び修正が可能であるというのはもちろんである。また、広く知られている機能及び構造の説明は、明確性のために省略する。
【００２５】
以下、本発明は無線通信システムにおけるＡＣＫ／ＮＡＣＫフィードバックによるオーバーヘッドを減らすための技術について説明する。
【００２６】
時分割複信（ＴＤＤ）システムの場合、多数のダウンリンク副フレームに含まれるデータのＡＣＫ／ＮＡＣＫは一つのアップリンク副フレームでフィードバックされなければならない。以下の説明において、ダウンリンク副フレームの個数をＭと称する。例えば、ＬＴＥシステムの場合、Ｍ２，３及び４のうちいずれか一つの値を有する。
【００２７】
追加的に、ＬＴＥ−Ａシステムで搬送波結合（ＣＡ）を使用する場合、基地局は同じ時間に多数のダウンリンク搬送波成分（ＣＣ）を介して使用者装置にダウンリンクデータを伝送するように構成される。ＬＴＥ−Ａ基盤の時分割複信システムの場合、ＡＣＫ／ＮＡＣＫをフィードバックするために必要なアップリンクのビット量は、前記使用者装置のために構成されたＣＣの個数とダウンリンクデータ伝送のためにＭＩＭＯ技法を使用するのか否かによって決定される。
【００２８】
ダウンリンク副フレームの数（Ｍ）が多いほどＡＣＫ／ＮＡＣＫをフィードバックするために必要なアップリンクのビット数も増加する。例えば、５つの搬送波成分（ＣＣ）が存在して４つのダウンリンク副フレームが存在し、ダウンリンクデータ伝送のためにＭＩＭＯ技法が使用され、ＮＡＣＫとＤＴＸが区別されない場合、ＡＣＫ／ＮＡＣＫフィードバックのために必要な最大のビット数は４０である。もし、３つのダウンリンク副フレームが存在する場合、ＡＣＫ／ＮＡＣＫフィードバックのために必要な最大のビット数は３０である。また、２つのダウンリンク副フレームが存在する場合、ＡＣＫ／ＮＡＣＫフィードバックのために必要な最大のビット数は２０である。ここで、前記ＤＴＸは使用者装置がＰＤＣＣＨを逃し、ダウンリンク割当を受信しなかった状態を示す。
【００２９】
一般に、ダウンリンク副フレームの個数は２である。この際、ダウンリンク副フレームの個数はアップ／ダウンリンクの構成割合によって決定され、ダウンリンク副フレームの個数が２である場合、ＡＣＫ／ＮＡＣＫフィードバックを最適化し得る。
【００３０】
一方、使用者装置がデータを受信し得るように前記使用者装置のために構成された搬送波成分が増加するほど、ＡＣＫ／ＮＡＣＫをフィードバックするために必要とするアップリンクのビット数も増加する。例えば、５つの搬送波成分が存在して４つのダウンリンク副フレームが存在し、ダウンリンクデータ伝送のためにＭＩＭＯ技法が使用され、ＮＡＣＫとＤＴＸが区別されない場合、フィードバックのために必要な最大のビット数は４０である。もし、２つの搬送成分が存在する場合、フィードバックのために必要な最大のビット数は１６である。一般に、使用者装置は少ない数の搬送波成分を受信する。例えば、２つ又は３つの搬送波成分が使用者装置のために構成される。しかし、極端な環境である場合、多数の搬送波成分が使用者装置のために構成される。例えば、極端な環境である場合、４つ又は５つの搬送波成分が使用者装置のために構成される。この際、少数の搬送波成分のためのＡＣＫ／ＮＡＣＫフィードバックを行う場合、ＡＣＫ／ＮＡＣＫフィードバックを最適化し得る。
【００３１】
以下の説明は、時分割複信システムにおけるＡＣＫ／ＮＡＣＫを伝送するための方法を提供する。
【００３２】
図１は、本発明の実施例による時分割復信システムにおけるＡＣＫ／ＮＡＣＫ伝送手順を示す図である。
【００３３】
前記図１を参照すると、ステップ１０１で使用者装置は使用者装置のための搬送波成分の構成とそれぞれの搬送波成分の伝送モードを受信する。次に、前記使用者装置はフィードバックによるアップリンクオーバーヘッドによってＡＣＫ／ＮＡＣＫフィードバック方式を選択する。例えば、前記使用者装置はステップ１０３に進行し、フィードバックによるアップリンクオーバーヘッドと基準値を比較する。もし、フィードバックによるアップリンクオーバーヘッドが基準値より大きい場合、前記使用者装置はステップ１０７に進行する。一方、フィードバックによるアップリンクオーバーヘッドが基準値より小さい場合、前記使用者装置はステップ１０５に進行する。
【００３４】
前記ステップ１０５において、前記使用者装置は受信されたデータに対するＡＣＫ／ＮＡＣＫをフィードバックする。他の例として、前記使用者装置はフィードバックによるアップリンクオーバーヘッドが小さくてもＡＣＫ／ＮＡＣＫフィードバックのためのビット数を減らしてアップリンクにフィードバックし得る。
【００３５】
前記ステップ１０７において、前記使用者装置はフィードバックオーバーヘッドを減らすためにできるだけ多くのビットを除去してＡＣＫ／ＮＡＣＫを圧縮する。次に、前記使用者装置は圧縮したＡＣＫ／ＮＡＣＫをアップリンクにフィードバックする。
【００３６】
前記ステップ１０１において、ダウンリンク副フレームの個数が小さく、結合されるための搬送波成分の個数が小さい場合、ＡＣＫ／ＮＡＣＫのフィードバックに必要なビット数は最大のビット数より小さい。それによって、前記使用者装置はステップ１０５に進行し、ダウンリンクデータ伝送の性能を最適化するためにＡＣＫ／ＮＡＣＫを行う。
【００３７】
一方、前記ステップ１０１において、ダウンリンク副フレームの個数が大きく、結合するための搬送波成分の個数が大きい場合、ＡＣＫ／ＮＡＣＫのフィードバックに必要なビット数は大きい。それによって、前記使用者装置はステップ１０３に進行し、ＡＣＫ／ＮＡＣＫをフィードバックする前にフィードバックオーバーヘッドを減らすための処理を行う。
【００３８】
特に、ＡＣＫ／ＮＡＣＫフィードバック方式の選択基準は、ダウンリンクの個数（Ｍ）、使用者装置がデータを受信するために構成された搬送波成分の個数、ダウンリンクデータ伝送のためのＭＩＭＯ技法の使用可否のうち少なくとも一つから決定される。
【００３９】
また、ＡＣＫ／ＮＡＣＫフィードバック方式の選択基準は、ダウンリンクの個数とは関係なく使用者装置がデータを受信するために構成された全ての搬送波成分の符号ワード（ＣＷ：ＣｏｒｄＷｏｒｄ）の全体の個数であってもよい。例えば、ＭＩＭＯ伝送方式を使用する場合、各搬送波成分に含まれる符号ワードの個数は２である。一方、ＭＩＭＯ伝送方式を使用しない場合、各搬送波成分に含まれる符号ワードの個数は１である。
【００４０】
また、ＡＣＫ／ＮＡＣＫフィードバック方式の選択基準は、使用者装置のために構成された全ての搬送波成分に含まれる伝送ブロックの最大の個数であってもよい。
【００４１】
また、ＡＣＫ／ＮＡＣＫフィードバック方式の選択基準は、上述した基準の結合で示すこともできる。
【００４２】
前記図１の方法は、上述した基準のうち少なくとも一つの基準と基準値を比較して２つの異なるＡＣＫ／ＮＡＣＫフィードバック方式を選択する。例えば、基準値がｍ個である場合、使用者装置はｍ＋１個のＡＣＫ／ＮＡＣＫフィードバック方式を選択する。ここで、ｍは１より大きい。
【００４３】
それぞれのダウンリンクデータのためのＡＣＫ／ＮＡＣＫはフィードバックのためのアップリンクのビット数によってそれぞれ処理される。ＡＣＫ／ＮＡＣＫに圧縮が必要な場合、前記使用者装置はバンドリング方式を活用する。前記バンドリング方式は、多重ＡＣＫ／ＮＡＣＫのビット数を減らすための処理方式を示す。例えば、前記バンドリング方式は、空間バンドリング、時間バンドリング及び相互搬送波成分バンドリングを含む。ここで、前記空間バンドリングはＭＩＭＯを介して副フレームに含まれる２つの符号ワードのＡＣＫ／ＮＡＣＫをバンドリングする方式を示し、前記時間バンドリングは搬送波成分に含まれる多重副フレームのためのＡＣＫ／ＮＡＣＫをバンドリングする方式を示し、相互搬送波成分ハンドリングは多重搬送波成分のためのＡＣＫ／ＮＡＣＫをバンドリングする方式を示す。ここで、前記バンドリング方式はビット数を減らすための方法であり、上述したバンドリング方式に限らない。また、以下の説明はＡＣＫ／ＮＡＣＫのビットオーバーヘッドを除去するための方法に対する実施例を示すものであり、本願発明は以下で説明するＡＣＫ／ＮＡＣＫのビットオーバーヘッドを除去するための方法に限らない。
【００４４】
第１のＡＣＫ／ＮＡＣＫフィードバック方式はバンドリング手順を含まず、それぞれの伝送ブロック（ＴＢ）のためのＡＣＫ／ＮＡＣＫを直接フィードバックする。この場合、ＮＡＣＫとＤＴＸはオーバーヘッドを除去するために互いに区別されない。しかし、ＮＡＣＫとＤＴＸはＡＣＫ／ＮＡＣＫを最大限に正確にするために区別されてもよい。
【００４５】
第２のＡＣＫ／ＮＡＣＫフィードバック方式は、Ｍ個の副フレームに含まれるデータのＡＣＫ／ＮＡＣＫをバンドリングするＡＣＫ／ＮＡＣＫフィードバック方式である。この際、前記バンドリングはそれぞれの符号ワード別に行われる。例えば、ＭＩＭＯ伝送方式を使用する場合、搬送波成分に含まれる２つの符号ワードのためのＡＣＫ／ＮＡＣＫはバンドリングされ、それぞれの使用者装置別にフィードバックされる。
【００４６】
第３のＡＣＫ／ＮＡＣＫフィードバック方式は、ＡＣＫ／ＮＡＣＫを得るためにそれぞれの副フレームを空間的にバンドリングし、Ｍ個の副フレームのバンドリングされたＡＣＫ／ＮＡＣＫをバンドリングするフィードバック方式である。この場合、前記バンドリングを行った後、一つのＡＣＫ／ＮＡＣＫは各搬送波成分のためにフィードバックされる。
【００４７】
第４のＡＣＫ／ＮＡＣＫフィードバック方式は、多重搬送波成分を介して伝送されたダウンリンクデータのためのＡＣＫ／ＮＡＣＫをバンドリングするフィードバック方式である。又は、前記第４のＡＣＫ／ＮＡＣＫフィードバック方式は、多重搬送波成分のＡＣＫ／ＮＡＣＫをバンドリングし、一つの搬送波成分に含まれる多重副フレームのためのＡＣＫ／ＮＡＣＫをバンドリングする。一つの搬送波成分に含まれる多重副フレーム間のＡＣＫ／ＮＡＣＫの相関とは対照的に、互いに異なる搬送波成分に含まれるデータ間のＡＣＫ／ＮＡＣＫの相関は小さい。それによって、多重搬送波成分に含まれるデータのためのＡＣＫ／ＮＡＣＫをバンドリングする方式がダウンリンクデータ伝送成分に大きな影響を及ぼす。
【００４８】
以下、ＡＣＫ／ＮＡＣＫに対するビット圧縮及びバンドリング方法について説明する。
【００４９】
図２は、本発明の実施例によるＡＣＫ／ＮＡＣＫフィードバック方式を選択するための手順を示す図である。以下の説明において、ＡＣＫ／ＮＡＣＫ伝送方式は使用者装置の受信のために基地局によって構成された全ての搬送波成分に含まれる符号ワードの全体の個数に基づいて選択されるものとして仮定する。
【００５０】
前記図２を参照すると、使用者装置はステップ２０１で符号ワードの全体の個数が基準値を超過するのかを確認する。
【００５１】
もし、符号ワードの全体の個数が基準値である４より小さいか同じである場合、前記使用者装置はステップ２０２に進行し、第２のＡＣＫ／ＮＡＣＫ伝送方式を選択する。即ち、前記使用者装置は一つの搬送波成分（ＣＣ）に含まれるＭ個の副フレームを介して伝送されたデータのためのＡＣＫ／ＮＡＣＫをバンドリングする。この際、前記使用者装置はそれぞれの符号ワード別にバンドリングを行う。各符号ワードの多重副フレームのためのＡＣＫ／ＮＡＣＫをバンドリングして５つのバンドリング状態を得ることができ、符号ワードの全体の個数が４である場合、ＡＣＫ／ＮＡＣＫフィードバックのために必要なアップリングにおけるビット数は
【００５２】
【数１】
0005896987.tif 000002
【００５３】
である。ここで、前記Ｃｅｉｌ（ｆ（ｘ））は、ｆ（ｘ）関数を介して得た値の上位整数を得るための演算を示す。
【００５４】
一方、符号ワードの全体の個数が基準値である４より大きい場合、前記使用者装置はステップ２０３に進行し、第３のＡＣＫ／ＮＡＣＫフィードバック方式を選択する。即ち、使用者装置はＡＣＫ／ＮＡＣＫを得るために各副フレームのための空間バンドリングを行う。次に、前記使用者装置は空間バンドリングされたＭ個の副フレームのためにＡＣＫ／ＮＡＣＫをバンドリングする。各搬送波成分に含まれた多重副フレームのＡＣＫ／ＮＡＣＫをバンドリングして５つのバンドリング状態を得ることができ、基地局で端末のデータ受信のために５つの搬送波成分を構成した場合、ＡＣＫ／ＮＡＣＫフィードバックのために必要なアップリングのビット数は
【００５５】
【数２】
0005896987.tif 000003
【００５６】
である。
【００５７】
図３は、本発明の他の実施例によるＡＣＫ／ＮＡＣＫフィードバックモードを選択するための手順を示す図である。以下の説明において、ＡＣＫ／ＮＡＣＫ伝送方式はバンドリングなしにＡＣＫ／ＮＡＣＫをフィードバックするために必要なビット数を考慮して選択されると仮定する。
【００５８】
前記図３を参照すると、前記使用者装置はステップ３０１でＡＣＫ／ＮＡＣＫをフィードバックするためのビット数が基準値を超過するのかを確認する。ここで、前記基準値は１６であると仮定する。
【００５９】
もし、ダウンリンク副フレームの個数が４であり、端末のデータ受信のために基地局で構成した全ての搬送波成分に含まれる伝送ブロックの最大個数が前記基準値（１６）と同じで、ＡＣＫ／ＮＡＣＫフィードバックのためのビット数が前記基準値（１６）より小さいか同じである場合、前記使用者装置は第１のＡＣＫ／ＮＡＣＫフィードバック方式を選択する。即ち、使用者装置はＡＣＫ／ＮＡＣＫに対するバンドリングを行わない。
【００６０】
一方、端末のデータ受信のために基地局で構成した全ての搬送波成分に含まれる伝送ブロックの最大個数が前記基準値（１６）より大きく、ＡＣＫ／ＮＡＣＫフィードバックのためのビット数が前記基準値（１６）より大きい場合、前記使用者装置はステップ３０３に進行して第２のＡＣＫ／ＮＡＣＫフィードバック方式を選択する。即ち、前記使用者装置は一つの搬送波成分に含まれるＭ個の副フレームを介して伝送されたデータのためのＡＣＫ／ＮＡＣＫをバンドリングする。この際、前記使用者装置はそれぞれの符号ワード別にバンドリングを行う。各符号ワードに対応する多重副フレームのためのＡＣＫ／ＮＡＣＫバンドリングを介して５つのバンドリング状態を得ることができ、基地局で端末のデータ受信のために基地局で５つの搬送波成分を構成し、ＭＩＭＯ伝送方式を使用する場合、伝送ブロックの全体の個数は４０である。それによって、ＡＣＫ／ＮＡＣＫフィードバックのためのアップリンクのビット数は
【００６１】
【数３】
0005896987.tif 000004
【００６２】
となる。
【００６３】
図４は、本発明による時分割復信システムにおけるＡＣＫ／ＮＡＣＫ伝送装置のブロック構成を示す図である。以下の説明は、使用者装置がＡＣＫ／ＮＡＣＫ伝送装置であると仮定して説明する。
【００６４】
前記図４に示したように、使用者装置は、デュプレクサ４００、受信モデム４０２、メッセージ処理部４０４、制御部４０６、ＨＡＲＱ制御部４０８、メッセージ生成部４１０及び送信モデム４１２を含んで構成される。
【００６５】
前記デュプレクサ４００は、デュプレックス方式によって前記送信モデム４１２から提供された送信信号をアンテナを介して送信し、アンテナからの受信信号を受信モデム４０２に提供する。
【００６６】
前記受信モデム４０２は、前記デュプレクサ４００から提供された高周波信号を基底帯域信号に変換して復調する。この際、前記受信モデム４０２は、ＲＦ処理ブロック、復調ブロック、チャネル復号ブロックなどを含んで構成されてもよい。前記ＲＦ処理ブロックは、前記制御部４０６の制御によって前記デュプレクサ４００から提供された高周波信号を基底帯域信号に変換して出力する。前記復調ブロックは、前記ＲＦ処理ブロックから提供された信号から各副搬送波に載せられたデータを抽出するためのＦＦＴ（Ｆａｓｔ  Ｆｏｕｒｉｅｒ  Ｔｒａｎｓｆｏｒｍ）演算器などで構成される。前記チャネル復号ブロックは、復調器、ディインターリーバ及びチャネルデコーダなどで構成される。
【００６７】
前記メッセージ処理部４０４は、前記受信モデム４０２から提供される信号から制御情報を抽出して前記制御部４０６に提供する。
【００６８】
前記制御部４０６は、前記使用者装置の全般的な動作を制御する。追加的に、前記制御部４０６は基地局から受信されたデータに対するＡＣＫ／ＮＡＣＫを前記基地局にフィードバックするように制御する。この際、前記制御部４０６は前記ＨＡＲＱ制御部４０８で選択したＡＣＫ／ＮＡＣＫフィードバック方式に従って基地局から受信されたデータに対するＡＣＫ／ＮＡＣＫを前記基地局にフィードバックするように制御する。
【００６９】
前記ＨＡＲＱ制御部４０８はＡＣＫ／ＮＡＣＫフィードバック方式選択基準に従って受信データのＡＣＫ／ＮＡＣＫを伝送するためのＡＣＫ／ＮＡＣＫフィードバック方式を選択する。例えば、前記ＨＡＲＱ制御部４０８は前記図２又は図３のようにＡＣＫ／ＮＡＣＫフィードバック方式を選択する。ここで、ＡＣＫ／ＮＡＣＫフィードバック方式の選択基準は、ダウンリンクの個数（Ｍ）、使用者装置がデータを受信するために構成された搬送波成分の個数、ダウンリンクデータ伝送のためのＭＩＭＯ技法の使用可否のうち少なくとも一つで決定される。他の例として、前記ＡＣＫ／ＮＡＣＫフィードバック方式の選択基準は、ダウンリンクの個数とは関係なく使用者装置がデータを受信するために構成された全ての搬送波成分の符号ワード（ＣＷ：Ｃｏｒｄ  Ｗｏｒｄ）の全体の個数であってもよい。また他の例として、前記ＡＣＫ／ＮＡＣＫフィードバック方式の選択基準は、使用者装置のために構成された全ての搬送波成分に含まれる伝送ブロックの最大個数であってもよい。更に他の例として、前記ＡＣＫ／ＮＡＣＫフィードバック方式の選択基準は、上述した基準の結合で示すこともできる。
【００７０】
前記メッセージ生成部４１０は、前記制御部４０６の制御によってＡＣＫ／ＮＡＣＫフィードバックのための制御メッセージを生成する。
【００７１】
前記送信モデム４１２は、基地局に伝送するデータ及び前記メッセージ生成部４１０から提供された制御メッセージを符号化及び高周波信号に変換して前記デュプレクサ４００に伝送する。前記受信モデム４１２は、チャネル符号ブロック、変調ブロック、ＲＦ処理ブロックなどを含んで構成されてもよい。前記チャネル符号ブロックは、変調器、インターリーバ及びチャネルインコーダなどで構成される。前記変調ブロックは、前記チャネル符号ブロックから提供された信号を各副搬送波にマッピングするためのＩＦＦＴ演算器などで構成される。前記ＲＦ処理ブロックは、前記変調ブロックから提供された基底帯域信号を高周波信号に変換し、前記デュプレクサ４００で出力する。
【００７２】
一方、本発明の詳細な説明では具体的な実施例に関して説明したが、本発明の範囲を逸脱しない範囲内で多様な変形が可能である。従って、本発明の範囲は説明された実施例に限定して決定されてはならず、特許請求の範囲だけでなく、この特許請求の範囲と均等なものによって決定されるべきである。
【符号の説明】
【００７３】
４００    デュプレクサ
４０２    受信モデム
４０４    メッセージ処理部
４０６    制御部
４０８    ＨＡＲＱ制御部
４１０    メッセージ生成部
４１２    送信モデム
【図１】
0005896987.tif 000005
【図２】
0005896987.tif 000006
【図３】
0005896987.tif 000007
【図４】
0005896987.tif 000008